(57)【特許請求の範囲】
【請求項１】
レンズのアイリスを前記レンズによって撮影される被写体の明るさに応じて自動的に調整するオートアイリスを行うオートアイリス機構と、
前記レンズのアイリスをマニュアル操作によって調整するマニュアルアイリスのためのデータを格納するマニュアルファイルと、
ポテンショメータ及びそれに連結されたつまみを有し、前記つまみを操作したときに検出される前記ポテンショメータの変化量の時間差分に応じた相対値データが前記マニュアルファイルのデータに加算され、当該加算されたデータがマニュアルアイリスに用いられる複数のコントロールパネルとを具え、
前記コントロールパネルが、前記マニュアルアイリスの際に、前記マニュアルファイルに格納されたデータと、前記ポテンショメータの変化量に応じたデータとを比較し、これらのデータが一致しない場合には、前記マニュアルファイルに格納されたデータをクリアし、前記ポテンショメータの変化量に応じたデータを前記マニュアルファイルに出力するクリア手段を更に有することを特徴とするテレビカメラのアイリス制御装置。
【請求項２】
アイリス制御のためのデータを格納するアイリス制御ファイルと、
前記オートアイリスから前記マニュアルアイリスに切り替える際に、前記アイリス制御ファイルに基づいて前記マニュアルファイルを逆算し、逆算結果を、前記マニュアルファイルに格納すべきデータとして前記マニュアルファイルに出力する逆計算器とを更に具えることを特徴とする請求項１記載のテレビカメラのアイリス制御装置。
【請求項３】
前記コントロールパネルが、
前記オートアイリスから前記マニュアルアイリスに切り替える際に、前記つまみの操作を無効にする無効手段を更に有することを特徴とする請求項１記載のテレビカメラのアイリス制御装置。
【請求項４】
ロータリーエンコーダ及びそれに連結されたつまみを有し、前記ロータリーエンコーダによって検出される前記つまみの操作前の絞り量からの前記つまみの回転操作方向及び回転操作量に応じた相対値データを前記マニュアルファイルに出力する他のコントロールパネルを更に具えることを特徴とする請求項１記載のテレビカメラのアイリス制御装置。
【発明の詳細な説明】
【技術分野】
【０００１】
本発明は、レンズのアイリスをレンズによって撮影される被写体の明るさに応じて自動的に調整するオートアイリス及びレンズのアイリスをマニュアル操作によって調整するマニュアルアイリスを行うテレビカメラのアイリス制御装置に関する。
【背景技術】
【０００２】
テレビカメラにおいては、撮影前のメンテナンス及び撮影中のオペレーションのために、ビデオエンジニアは、テレビカメラ本体に接続されたコントロールパネルを用いてアイリス制御を行う。
【０００３】
撮影前のメンテナンスの際には、ロータリーエンコーダ及びそれに連結されたつまみを有するＭＣＰ(Maintenance Control Panel)が一般的に用いられ、この場合、ロータリーエンコーダによって検出されるつまみの操作前の絞り量からのつまみの回転操作方向及び回転操作量に応じた相対値のデータが出力される（例えば、特許文献１）。
【０００４】
したがって、ＭＣＰそれ自体は、絶対値としての制御値を有さず、つまみの相対的な回転角に応じた相対値制御をカメラに対して行っているので、１台のテレビカメラに対して複数のＭＣＰを同時に接続することができる。
【０００５】
また、ＭＣＰをＣＳＵ(Camera Select Unit)を通じて複数のテレビカメラと切り替えながら接続した場合には、アイリスの値を変化させることなくテレビカメラの切替及び制御を行うことができる。
【０００６】
一方、撮影中のオペレーションの際には、ポテンショメータ及びそれに連結されたつまみを有するＯＣＰ(Operation Control Panel)／ＲＣＰ(Remote Control Panel)が一般的に用いられ、この場合、つまみを操作したときに検出されるポテンショメータの変化量に応じた絶対値のデータが出力される（例えば、特許文献２）。
【０００７】
したがって、ＯＣＰそれ自体は、絶対値としての制御値を有し、つまみの機構的な限界をレンズ側のオープン端とクローズ端にそれぞれ対応させることができ、テレビカメラのアイリス状態に一対一で対応させて制御することができる。
【０００８】
また、つまみの絶対的な回転角に応じたアイリス制御量が決定されるので、例えばセッタークリック付きのつまみを使用すれば、アイリス中央値に容易に復帰させることができ、つまみを元の位置に戻すことによって、レンズ側も容易に元のアイリス状態に復帰させることができるので、操作フィーリングがよいという利点がある。
【０００９】
マニュアルアイリスを行うに際し、図６に示すように、ＭＣＰ１１１は、相対値のデータをマニュアルファイル１１２に出力し、ＯＣＰ／ＲＣＰ１１３は、絶対値のデータをボリュームファイル１１４に出力し、これらの値を加算器１１５で加算し、加算値のデータをターゲットファイル１１６に格納し、ターゲットファイル１１６に格納されたデータが出力される。
【特許文献１】特開平１１−３３８００３号公報
【特許文献２】特開平６−２０５２８５号公報
【発明の開示】
【発明が解決しようとする課題】
【００１０】
撮影中のオペレーションに際し、操作フィーリングを良好に保ちながら１台のテレビカメラを複数のコントロールパネルによって同時に制御することが所望されている。１台のテレビカメラに対して複数のＭＣＰを同時に接続することができるが、ＭＣＰの場合には、つまみに回転角の機構的な限定がなく、アイリス状態がつまみの絶対的な回転角に依存しないため、操作フィーリングが悪く、ＭＣＰ上のアンサー表示を見ながらでないと元のアイリス状態に戻せないという不都合がある。
【００１１】
また、ＯＣＰ／ＲＣＰの場合には、つまみの絶対的な回転角に応じた絶対制御を行うために、１台のテレビカメラに複数のＯＣＰ／ＲＣＰを同時に接続することができない。また、１台のテレビカメラに複数のＯＣＰ／ＲＣＰを切り替えながら接続した場合、それぞれのＯＣＰ／ＲＣＰのつまみの位置に応じてカメラデータジャンプが生じる。
【００１２】
本発明の目的は、操作フィーリングを良好に保ちながら１台のテレビカメラを複数のコントロールパネルによって同時に制御することができるテレビカメラのアイリス制御装置を提供することである。
【課題を解決するための手段】
【００１３】
本発明によるテレビカメラのアイリス制御装置は、
レンズのアイリスを前記レンズによって撮影される被写体の明るさに応じて自動的に調整するオートアイリスを行うオートアイリス機構と、
前記レンズのアイリスをマニュアル操作によって調整するマニュアルアイリスのためのデータを格納するマニュアルファイルと、
ポテンショメータ及びそれに連結されたつまみを有し、前記つまみを操作したときに検出される前記ポテンショメータの変化量の時間差分に応じた相対値データを前記マニュアルファイルに出力するコントロールパネルとを具えることを特徴とする。
【発明の効果】
【００１４】
本発明によれば、ポテンショメータに連結されたつまみを操作したときに検出されるポテンショメータの変化量の時間差分に応じた相対値データを、レンズのアイリスをマニュアル操作によって調整するマニュアルアイリスのためのデータを格納するマニュアルファイルに出力し、ここに格納されたデータを相対値データに加算し、このような加算によって形成されたデータが、マニュアルアイリスに用いられる。したがって、つまみの絶対的な回転角に応じたアイリス制御量が決定されるポテンショメータを用いることによって操作フィーリングが良好になる。また、マニュアルアイリスのためのデータとして相対値データを提供するので、テレビカメラに対して相対値制御が行われ、その結果、１台のテレビカメラを複数のコントロールパネルによって同時に制御することができるようになる。
【００１５】
好適には、アイリス制御のためのデータを格納するアイリス制御ファイルと、前記オートアイリスから前記マニュアルアイリスに切り替える際に、前記アイリス制御ファイルに基づいて前記マニュアルファイルを逆算し、逆算結果を、前記マニュアルファイルに格納すべきデータとして前記マニュアルファイルに出力する逆計算器とを更に具える。オートアイリスからマニュアルアイリスに切り替える際に、アイリス制御のためのデータを格納するアイリス制御ファイルに基づいてマニュアルファイルを逆算し、逆算結果を、マニュアルファイルに格納すべきデータとしてマニュアルファイルに出力することによって、マニュアルアイリス開始時のアイリスをオートアイリス終了時のアイリスに固定することができる。
【００１６】
好適には、前記コントロールパネルが、前記オートアイリスから前記マニュアルアイリスに切り替える際に、前記つまみの操作を無効にする手段を更に有する。オートアイリスからマニュアルアイリスに切り替えた後、ポテンショメータに連結されたつまみによりマニュアルアイリスを行うことができる。しかしながら、オートアイリスからマニュアルアイリスに切り替えたときのつまみの位置により、アイリスをオープン又はクローズしきれないといういわゆる片利きとなることがある。つまみの操作を無効にする手段によって、つまみを動かしている（例えば、中央に戻す）間につまみの操作を無効にすることができるので、片利きにならないようにすることができる。
【００１７】
また、本発明においては、前記コントロールパネルが、前記マニュアルアイリスの際に、前記マニュアルファイルに格納されたデータと、前記ポテンショメータの変化量に応じたデータとを比較し、これらのデータが一致しない場合には、前記マニュアルファイルに格納されたデータをクリアし、前記ポテンショメータの変化量に応じたデータを前記マニュアルファイルに出力する手段を更に有する。これによって、マニュアルアイリスの際につまみの位置をレンズの実際のアイリス位置に一致させることができる。
【００１８】
ロータリーエンコーダ及びそれに連結されたつまみを有し、前記ロータリーエンコーダによって検出される前記つまみの操作前の絞り量からの前記つまみの回転操作方向及び回転操作量に応じた相対値データを前記マニュアルファイルに出力する他のコントロールパネルを更に具えることもできる。この場合、ポテンショメータの変化量の時間差分に応じた相対値データと、つまみの回転操作方向及び回転操作量に応じた相対値データとが共通のマニュアルファイルに出力されるので、個別のファイルを設ける必要がなくなる。
【発明を実施するための最良の形態】
【００１９】
本発明によるテレビカメラのアイリス制御装置の実施の形態を、図面を参照して詳細に説明する。
図１は、本発明によるテレビカメラのアイリス制御装置を示す図である。本実施の形態によるテレビカメラのアイリス制御装置は、テレビカメラ本体において、レンズ系１と、光電変換部２と、映像処理部３と、オートアイリス処理回路４と、アイリス制御ファイル５と、加算器６と、アテネータ７と、スイッチ８，９と、逆計算器１０と、マニュアルファイル１１とを具え、テレビカメラ本体に接続されるコントロールパネル１２において、つまみ１３と、Ａ／Ｄ変換器１４と、バッファ１５，１６と、減算器１７と、比較器１８と、表示器１９と、スイッチ２０，２１，２２，２３とを具える。
【００２０】
本実施の形態では、光電変換部２、映像処理部３、オートアイリス処理部４、加算器６及びアテネータ７は、オートアイリス機構を構成する。スイッチ２３は、上記無効手段を構成する。比較器１８及びスイッチ２０，２１は上記クリア手段を構成する。
【００２１】
レンズ系１は、レンズ、レンズのアイリス駆動機構等を有し、レンズを通過した光は、撮像素子等を有する光電変換部２によって電気信号に変換され、変換された電気信号は、映像処理部３に入力される。映像処理部３は、映像信号によって自動的に自動的に映像信号レベルが適正になるようにレンズのアイリスを制御するオートアイリス処理回路４に映像信号を出力する。オートアイリス処理回路４は、被写体の明るさに応じて自動的にアイリスを調整するためのオートアイリス信号を加算器６の一方の入力部に出力する。
【００２２】
加算器６の他方の入力部には、マニュアルファイル１１に格納されたデータ（これについては、後に詳しく説明する。）に関する信号が、データ量を例えば１／５にするアテネータ７を通じて供給される。加算器６の出力は、オートアイリス時にはスイッチ８を通じてアイリス制御ファイル５に供給される。アイリス制御ファイル５に格納されたデータは、アイリス制御のためにレンズ系１に供給される。このようなオートアイリス機構によって、相対値データに対して（１／５のデータ量に対応する）±１ストップの微調整を行うことができる。
【００２３】
撮影中のオペレーションの際に用いられるＯＣＰ／ＲＣＰのようなコントロール１２において、つまみ１３は、図示しないポテンショメータに連結され、つまみ１３を操作したときに検出されるポテンショメータの変化量がＡ／Ｄ変換器１４によってＡ／Ｄ変換され、Ａ／Ｄ変換された値がＶＲ＿ＤＡＴＡとしてバッファ１５に格納される。
【００２４】
つまみ１３を再操作すると、同様にしてＶＲ＿ＤＡＴＡがバッファ１５に格納されるが、１操作前のＶＲ＿ＤＡＴＡは、スイッチ２３を通じてバッファ１６に転送され、ＯＬＤ＿ＶＲ＿ＤＡＴＡとしてバッファ１６に格納される。
【００２５】
ＶＲ＿ＤＡＴＡ及びＯＬＤ＿ＶＲ＿ＤＡＴＡは、減算器１７において減算され、ＶＲ＿ＤＡＴＡ及びＯＬＤ＿ＶＲ＿ＤＡＴＡの差分データが相対値データとしてマニュアルファイル１１に出力される。したがって、つまみ１３を操作したときに検出されるポテンショメータの変化量の時間差分に応じた相対値データがマニュアルファイル１１に出力され、マニュアルファイル１１に格納されたデータに相対値データが加算され、このような加算によって形成されたデータが、マニュアルアイリスに用いられる。
【００２６】
本実施の形態によれば、レンズのアイリスをマニュアル操作によって調整するマニュアルアイリスのためのデータとして、マニュアルファイル１１に既に格納されたデータに相対値データを加算したものを用いる。したがって、つまみの絶対的な回転角に応じたアイリス制御量が決定されるポテンショメータを用いることによって操作フィーリングが良好になる。また、マニュアルアイリスのためのデータとして相対値データを提供するので、テレビカメラに対して相対値制御が行われ、その結果、１台のテレビカメラを複数のコントロールパネルによって同時に制御することができるようになる。
【００２７】
従来のＯＣＰ／ＲＣＰのようにつまみの絶対的な回転角に応じた絶対制御を行う場合、テレビカメラのＯＮ／ＯＦＦなどによってテレビカメラ本体とコントロールパネルとの間のコマンドが再接続された場合、再接続前後でコントロールパネルのつまみの位置が異なるとカメラデータのジャンプが生じる。
【００２８】
本実施の形態によれば、相対値データを用いてマニュアルアイリスを行っている、すなわち、つまみ１３の操作量が相対値データとして送られるので、再接続前後でコントロールパネルのつまみの位置が異なるとカメラデータのジャンプが生じない。
【００２９】
次に、オートアイリスをマニュアルアイリスに切り替える際のアイリスの固定を、図２を用いならが説明する。
コントロールパネ１２のスイッチ２２をＡＵＴＯ側からＭＡＮＵ側に切り替えることによってオートアイリスからマニュアルアイリスに切り替える（ステップＳ１）と、切替情報がテレビカメラのスイッチ８，９にそれぞれ送られる（ステップＳ２）。
【００３０】
スイッチ８をＡＵＴＯ側からＭＡＮＵ側へ一時的に切り替えてもアイリス制御ファイル５の内容が変わらないように、スイッチ９をＡＵＴＯ側からＭＡＮＵ側に切り替え、逆計算器１０により瞬時にマニュアルファイル１１を作り直す（ステップＳ３）。マニュアルファイル１１作成後、スイッチ９は自動的にＡＵＴＯ側へ戻る。逆計算器１０には、マニュアルファイル１１に対するアイリス制御ファイル５が予め記憶されており、アイリス制御ファイル５からマニュアルファイル１１が逆算される。
【００３１】
その後、スイッチ８がＡＵＴＯ側からＭＡＮＵ側に切り替えられ（ステップＳ４）、マニュアルアイリスによるアイリス制御ファイル５が作成され、作成されたアイリス制御ファイル５のデータがレンズ系１に供給される（ステップＳ５）．
【００３２】
図２に示すフローチャートの動作は一瞬にして行われ、その結果、オートアイリスをマニュアルアイリスに切り替える際に、レンズのアイリスは、オートアイリス終了時のアイリスに固定される。
【００３３】
次に、オートアイリスからマニュアルアイリスに切り替える際につまみの操作を無効にする動作を説明する。
オートアイリスをマニュアルアイリスに切り替えると、つまみ１３によるマニュアル操作が可能になるが、オートアイリスからマニュアルアイリスに切り替えたときのつまみ１３の位置により、アイリスをオープン又はクローズしきれないといういわゆる片利きとなることがある。本実施の形態によれば、つまみ１３の操作を無効にすることができるスイッチ２３を用いることによって、片利きにならないようにすることができる。
【００３４】
スイッチ２３をＯＦＦ側からＯＮ側に切り替えると、Ａ／Ｄ変換器１４でＡ／Ｄ変換されたデータは、バッファ１５，１６に同時に書き込まれる。これによって、減算器１７の演算結果は常に零になり、マニュアルファイル１１を増減させることはない。また、スイッチ２３をＯＮ側からＯＦＦ側に切り替えたとしても、スイッチ２３がＯＮ側にあるときのつまみ１３の操作は無効となり、スイッチ２３をＯＦＦ側に切り替えた後のつまみ１３の操作のみが有効になる。
【００３５】
例えば、オートアイリス時において、ビデオエンジニアがオートアイリス機構の制御に不満があり、つまみ１３を右に回して補正をかけた場合を考える（図３Ａ）。オートアイリスからマニュアルアイリスに切り替えると、アイリスが固定された状態でマニュアルアイリスが行われるが、更につまみ１３を操作すると、右回し方向（オープン側）では、ボリュームがハード的な限界（機械的に回らない状態）となってアイリスがこれ以上開かなくなり、オープン側で操作不能領域が生じるとともに、クローズ側で不感帯領域が生じる（図３Ｂ）。
【００３６】
スイッチ２３をＯＮ側に切り替えた後、つまみ１３を左回し方向（クローズ側）に回して、つまみ１３をセンター位置付近まで戻し、スイッチ２３を再度ＯＦＦ側に切り替えることによって、つまみ１３を右回し方向に回すことができる（図３Ｃ）。この場合、つまみ１３をセンター付近に戻してもレンズ側のアイリス位置がセンター付近になっていないので、図３Ｂの場合とは逆に、オープン側で不感帯領域が生じるとともに、クローズ側で操作不能領域が生じることがある。しかしながら、スイッチ２３を操作することによって不感帯領域の操作も可能となる。
【００３７】
これによって、ＯＮ  ＡＩＲタリー中（テレビカメラの映像がオンエアー中に使用されている状態）においても、オートアイリスからマニュアルアイリスに切り替えることができ、オートアイリスからマニュアルアイリスに切り替えた後もつまみ１３により操作範囲を確保しつつアイリス制御を行うことができる。
【００３８】
次に、マニュアルアイリスの際のマニュアルファイルのデータのクリアを、図４及び図５を用いて説明する。
既に説明したように、スイッチ２３を用いることによって片利きにならないようにすることができるが、マニュアルアイリスの際に、つまみ１３の位置とレンズの実際のアイリス位置とを一致させることが望まれる。
【００３９】
このために、先ず、マニュアルファイル１１に格納されているデータをコントロールパネル１２に送り（ステップＳ１１）、比較器１８において、バッファ１５に格納されているＶＲ＿ＤＡＴＡと、マニュアルファイル１１に格納されているデータとを比較し（ステップＳ１２）、これらのデータが一致しない場合には、その旨を表示器１９によって表示する（ステップＳ１３）。これによって、つまみ１３の位置とレンズの実際のアイリス位置とが一致していないことがわかる。
【００４０】
スイッチ２０をＯＦＦ側からＯＮ側（モーメンタリー）に切り替える（ステップＳ１４）と、スイッチ２０の切替情報がテレビカメラ本体に送られ、マニュアルファイル１１をクリアにする（ステップＳ１５）。マニュアルファイル１１のクリアは、例えば、データを中央値にセットすることによって行われる。
【００４１】
その後、スイッチ２１がＯＦＦ側からＯＮ側に切り替えられ、バッファ１５に格納されたＶＲ＿ＤＡＴＡがマニュアルファイル１１に送られ、クリアされたマニュアルファイル１１に加算される（ステップＳ１６）。これによって、つまみ１３の位置とレンズの実際のアイリス位置とが一致する（図５）。つまみ１３の位置とレンズの実際のアイリス位置とが一致すると、つまみ１３によるフルレンジのアイリス操作が可能になる。
【００４２】
本発明は、上記実施の形態に限定されるものではなく、幾多の変更及び変形が可能である。
例えば、ロータリーエンコーダ及びそれに連結されたつまみを有し、ロータリーエンコーダによって検出される前記つまみの操作前の絞り量からのつまみの回転操作方向及び回転操作量に応じた相対値データをマニュアルファイルに出力する他のコントロールパネルを、撮影中のオペレーションに用いられるＭＣＰとして更に具えることもできる。この場合、ポテンショメータの変化量の時間差分に応じた相対値データを、図１に示すようなマニュアルファイル１１に出力することができるので、図５に示すようなボリュームファイル１１４、加算器１１５及びターゲットファイル１１６を省略することができる。
【００４３】
また、オートアイリスからマニュアルアイリスに切り替える際につまみの操作を無効にし又はマニュアルアイリスの際のマニュアルファイルのデータをクリアにすることによる操作範囲の確保及び片利きの解消を、オートアイリスからマニュアルアイリスへの切替時以外にも行うことができる。
【００４４】
本発明において相対値制御を行っているので、コントロールパネルとテレビカメラとの間の接続を、レンズのアイリス値を変えることなく変更することができ、接続を変更した後でも操作範囲の確保及び片利きの解消を行うことができる。
【００４５】
さらに、複数のコントロールパネルをテレビカメラに接続した場合でも、所定のコントロールパネルから見たときに操作範囲の確保及び片利きの解消を行うことができる。
【図面の簡単な説明】
【００４６】
【図１】本発明によるテレビカメラのアイリス制御装置を示す図である。
【図２】オートアイリスをマニュアルアイリスに切り替える際のアイリスの固定のフローチャートである。
【図３】オートアイリスからマニュアルアイリスに切り替える際につまみの操作を無効にする動作を説明するための図である。
【図４】マニュアルアイリスの際のマニュアルファイルのデータのクリアのフローチャートである。
【図５】マニュアルアイリスの際のマニュアルファイルのデータのクリアを説明するための図である。
【図６】従来のテレビカメラのアイリス制御を説明するための図である。
【符号の説明】
【００４７】
１  レンズ系
２  光電変換部
３  映像処理部
４  オートアイリス処理回路
５  アイリス制御ファイル
６  加算器
７  アテネータ
８，９，２０，２１，２２，２３  スイッチ
１０  逆計算器
１１，１１２  マニュアルファイル
１２  コントロールパネル
１３  つまみ
１４  Ａ／Ｄ変換器
１５，１６  バッファ
１７  減算器
１８  比較器
１９  表示器
１１１  ＭＣＰ
１１３  ＯＣＰ／ＲＣＰ
１１４  ボリュームファイル
１１６  ターゲットファイル
【図１】
0005138996.tif 000002
【図２】
0005138996.tif 000003
【図３】
0005138996.tif 000004
【図４】
0005138996.tif 000005
【図５】
0005138996.tif 000006
【図６】
0005138996.tif 000007